(57)【要約】【課題】本発明の目的は、航空機の座席に座る際、長時間携帯用エアー足置台を使用しても足全体の疲労感を感じさせない。携帯用エアー足置台の空気口にエアーを注入する時エアーポンプが付いているため、便利である。携帯用エアー足置台エアーポンプ付きを提供する。【解決手段】基盤となるビニールシート材をコーティングしたものに、底面と上面を長方形に側面をＶ字型に切断し、袋状体に空気口を設け圧着する。携帯用エアー足置台の底面と上面が空気注入により空気圧で本体が膨れ上がるため、空気室の中に支持を設け空気穴を明け圧着する。空気注入により携帯用エアー足置台がＶ字型の変形になる。携帯用エアー足置台の上面が傾斜面のＶ字型になり、傾斜面にはふくらはぎ部を置きＶ字型の変形の所にかかと部と足の裏全体を置くつま先上がりの台を設ける。携帯用エアー足置台は床に置くもので、空気を注入する時必要なものであり、エアーポンプを付け病気の予防をするためである。【選択図】図１
2006111240.tif 000002
【特許請求の範囲】
【請求項１】
基盤の底面１と上面１を長方形１に側面２をＶ字型５に切断し、袋状体６，１０に空気口４を設け圧着する。
空気注入により上面の携帯用エアー足置き台がＶ字型５の変形の傾斜面３になる。傾斜面３にふくらはぎ部７を置きＶ字型５の変形の所にかかと部８と足の裏９、全体を置くつま先９上りの台を設けた、携帯用エアー足置台。
【請求項２】
携帯用エアー足置き台の底面１と上面１が空気注入により空気圧で本体がふくれ上がるため、空気室６の中に支持１３を設け、空気穴を明け圧着する携帯用エアー足置台
【請求項３】
円筒形１４の容器１４のキャップ１５に穴１６を明けノズル１７を設けホース２０を接続する。ホース２０の先に空気注入口２１のノズル１７を設ける。円筒形１４の容器１４の中にホース２０を収納できるのを特徴とする。エアーポンプ付き。
【請求項４】
円筒形１４の底１４に穴１６を明け穴１６の上にパッキン１８を入れ逆止弁１９を設けた。エアーポンプ付き。
【発明の詳細な説明】
【技術分野】
【０００１】本発明は主に航空機の座席に座る際に使用する携帯用エアー足置台  エアーポンプ付き
【背景技術】
【０００２】飛行機で海外旅行する場合、長時間座席に座った姿勢を続けると足全体の血液循環が低下し、深部静脈血栓症を引き起こすことが問題になっている。又足置台が取り付けてある座席は今の所、ファーストクラス、ビジネスクラスであるため、エコノミーの場合、ファーストクラス、ビジネスクラスに比べ、深部静脈血栓症が多く見られるのが実情である。【０００３】エアー足置台の場合、エアーポンプが付いていないため空気口から空気を注入する時口で空気を吹き込み注入することで、いろいろなばい菌が口から侵入して体に害を与える恐れがある。
【発明の開示】
【発明が解決しようとする課題】
【０００４】本発明は上記の問題点を解決するために発明されたものである。使用者は、ふくらはぎ部からつま先まで足を支えることが可能であり、かかと部分がＶ字型の変形状のところに付くため足を置いた状態で、つま先が上がり足の血行の低下を防ぐため深部静脈血栓症におちいるのを予防できる。【０００５】エアーポンプが付いているので、携帯用エアー足置台の空気口から簡単に空気を吹き込むことが可能であり、又口でエアーを吹きこまないため、衛生面でも病気の予防に役立ちます。エアーポンプがコンパクトに成っているので、どこにでも持ち歩きができます。
【課題を解決するための手段】
【０００６】本発明は基盤となるビニールシート材にコーティングしたものに底面と上面を長方形に側面をＶ字型に切断し袋状態に空気口を設け圧着する携帯用エアー足置き台の底面と上面が空気注入により空気圧で本体が膨れあがる為空気室の中に支持を設け空気穴を明け圧着する空気注入により携帯用エアー足置台がＶ字型の変形になる携帯用エアー足置台の上面が傾斜面のＶ字型になり傾斜面にはふくらはぎ部を置きＶ字型の変形の所に踵部と足の裏全体を置くつま先上りの台を設けリラックスできるので楽しい旅行ができる【０００７】本発明は携帯用足置台を床に置くもので、空気を注入する時必要なものであり、口で注入すると、ばい菌が口から侵入する為エアーポンプを付け病気の予防をする為である。【０００８】容器材は合成樹脂の柔軟な物であり円筒形の容器のキャップに穴を開けノズルを付ける。容器底に穴を開けパッキンを入れ逆止弁を設けたホースは取り外しができる容器の中にホースを収納できる。
【発明の効果】
【０００９】本発明の携帯用足置き台は旅行に携帯するのに便利であり、空気を注入することで足置台が備えつけられてある上級クラスの座席と同じ快適さで長時間の海外旅行が楽しむことができる。あまり足の裏に負担をかけず、つま先が台に付く事で足のむくみがなく、足全体がリラックス効果があり、これによって深部静脈血栓が予防できる。【００１０】エアーポンプが付いているため、空気口から簡単に空気を入れることができ、エアーポンプを使うことで衛生的で、病気の予防になります。
【発明を実施するための最良の形態】
【００１１】以下発明の実施形態を説明する。
イ  基盤となるビニールシート材をコーティングしたものに底面１と上面１を長方形１に    側面２をＶ字型５に切断し、袋状態６，１０に空気口４を設け圧着する。
ロ  携帯用エアー足置き台の底面１と上面１の空気室６の中に支持１３を設け空気穴を開    け圧着する。
ハ  空気注入により、携帯用エアー足置台がＶ字型５の変形になる。携帯用のエアー足置    台の上面１が傾斜面３のＶ字型５になり、傾斜面３にふくらはぎ７部を置き、Ｖ字型    ５の変型の所にかかと８部と足の裏９を置く台を設ける。
ニ  円筒形１３の容器１３のキャップ１４に穴１５を開け、ノズル１６を付けホース１９    を接続する。ホース１９の先に空気注入口２０のノズル１６を付ける。
ホ  円筒形１３の容器底１３に穴１５を明けパッキン１７を入れ逆止弁１８を設ける。
本発明は以上の構成よりなっている。
この携帯用エアー足置き台を使用することにより足の血行の低下を防ぐため、深部静    脈血栓症を予防できる。又、エアーポンプが付いているので口でエアーを注入するこ    となく、衛生面で病気の予防になります。
【図面の簡単な説明】
【００１２】
【図１】  本発明は使用状態を示す図
【図２】  本発明は基盤の実施例を示す部品その１
【図３】  本発明は基盤の実施例を示す部品その２
【図４】  本発明は基盤の実施例を示す部品その３
【図５】  本発明は基盤の実施例の支持を示す側面図
【図６】  本発明は実施の形態の傾斜図である。  エアーポンプ付き
【図７】  本発明の見取図
【図８】  本発明は基盤の実施例を示す部品その１
【図９】  本発明は基盤の実施例を示す部品その２
【図１０】  本発明は基盤の実施例を示す部品その３
【図１１】  本発明は基盤の実施例を示す部品その４
【符号の説明】
【００１３】  １．底面、上面、長方形、ビニールシートのコーティング材
２．側面
３．傾斜図
４．空気口空気穴
５．Ｖ字型
６．空気室  袋状体
７．ふくらはぎ置き部
８．かかと置き部
９．つま先と足の裏部  空気室
１０．内外フタ
１１．足
１２．座席
１３．支持
エアーポンプ
１４．円筒形の容器底、合成樹脂、柔軟性のもの
１５．キャップ
１６．穴
１７．ノズル
１８．パッキン（ゴム）
１９．逆止弁
２０．ホース
２１．空気注入口
【図１】
2006111240.tif 000003
【図２】
2006111240.tif 000004
【図３】
2006111240.tif 000005
【図４】
2006111240.tif 000006
【図５】
2006111240.tif 000007
【図６】
2006111240.tif 000008
【図７】
2006111240.tif 000009
【図８】
2006111240.tif 000010
【図９】
2006111240.tif 000011
【図１０】
2006111240.tif 000012
【図１１】
2006111240.tif 000013